(57)【要約】【課題】アクセスポイントを介してネットワークサービスが提供されるユーザ端末に広告を露出するドアウェイページを提供することによって、ユーザ端末に無料で無線ネットワークサービスを提供するシステムおよび方法を開示する。【解決手段】ユーザ端末は、ドアウェイページを介して露出された広告を視聴することによって無料で無線ネットワークサービスの提供を受けることができ、広告主および事業主は無線ネットワークサービスを提供する代価として広告露出の機会を有することができる。【選択図】図１
2011258203.tif 000002
【特許請求の範囲】
【請求項１】
無線ネットワークのアクセスポイントを介してユーザ端末の無線ネットワークの接続要求を受信する接続要求受信部と、
前記ネットワーク接続要求に応じて無線ネットワーク接続と関連するドアウェイページおよび探索ページのうち少なくとも１つに広告を露出して前記ユーザ端末に提供するページ提供部と、
前記ドアウェイページおよび探索ページのうち少なくとも１つが提供されたユーザ端末の無線ネットワークの接続要求を承認して前記ユーザ端末に無線ネットワークサービスを提供するネットワークサービス提供部と、
を備えることを特徴とするネットワークサービス提供システム。
【請求項２】
前記ページ提供部は、前記アクセスポイントのグループ単位に応じて、広告管理システムに登録された広告を前記ドアウェイページおよび探索ページのうち少なくとも１つに露出して前記ユーザ端末に提供することを特徴とする請求項１に記載のネットワークサービス提供システム。
【請求項３】
前記ページ提供部は、前記アクセスポイントの設けられた位置に応じて、広告管理システムに登録された広告を前記ドアウェイページおよび探索ページのうち少なくとも１つに露出して前記ユーザ端末に提供することを特徴とする請求項１に記載のネットワークサービス提供システム。
【請求項４】
前記ページ提供部は、前記アクセスポイントの設けられた事業所の事業主と関連する広告を前記ドアウェイページおよび探索ページのうち少なくとも１つに露出することを特徴とする請求項１に記載のネットワークサービス提供システム。
【請求項５】
前記ページ提供部は、前記ネットワーク接続要求を受信した時間が事業主の営業時間に属しているか否か、ユーザ端末が事業所の内部に位置しているか否か、およびユーザ端末が複数の事業主の周辺に位置しているか否かを考慮して広告を前記ドアウェイページおよび探索ページのうち少なくとも１つに露出することを特徴とする請求項４に記載のネットワークサービス提供システム。
【請求項６】
前記ページ提供部は、前記アクセスポイントの設けられた事業所の周辺に位置する広告主の広告を前記ドアウェイページおよび探索ページのうち少なくとも１つに露出することを特徴とする請求項１に記載のネットワークサービス提供システム。
【請求項７】
前記ページ提供部は、前記アクセスポイントの設けられた運送手段の移動経路の周辺に位置する広告主の広告を前記ドアウェイページおよび探索ページのうち少なくとも１つに露出することを特徴とする請求項１に記載のネットワークサービス提供システム。
【請求項８】
前記ドアウェイページおよび探索ページのうち少なくとも１つは、前記ユーザ端末から検索語を受信することのできる検索領域を含み、
前記ページ提供部は、前記運送手段の移動経路の周辺の予め設定された関心地点のうち、前記検索語と関連する関心地点に属する広告主の広告を前記ドアウェイページおよび探索ページのうち少なくとも１つに露出することを特徴とする請求項７に記載のネットワークサービス提供システム。
【請求項９】
前記ドアウェイページおよび探索ページのうち少なくとも１つは、前記ユーザ端末から検索語を受信することのできる検索領域を含み、
前記ページ提供部は、前記検索語が予め設定された関心地点と関連する場合、前記運送手段から前記関心地点までの移動経路の周辺に位置する広告主の広告を前記ドアウェイページおよび探索ページのうち少なくとも１つに露出することを特徴とする請求項７に記載のネットワークサービス提供システム。
【請求項１０】
前記ページ提供部は、前記ユーザ端末が前記ドアウェイページを経由して探索ページを訪問する場合、前記探索ページに前記広告を露出することを特徴とする請求項１に記載のネットワークサービス提供システム。
【請求項１１】
前記ドアウェイページおよび探索ページのうち少なくとも１つを介してユーザ端末の認証を行う端末認証部をさらに備え、
前記ネットワークサービス提供部は、前記認証の完了されたユーザ端末に前記無線ネットワークサービスを提供することを特徴とする請求項１に記載のネットワークサービス提供システム。
【請求項１２】
前記接続要求受信部は、前記ドアウェイページおよび探索ページのうち少なくとも１つへのアクセスのためのプッシュ型通知情報を、前記アクセスポイントの周辺に位置するユーザ端末にプッシュすることを特徴とする請求項１に記載のネットワークサービス提供システム。
【請求項１３】
無線ネットワークのアクセスポイントを介するユーザ端末の無線ネットワーク接続と関連するドアウェイページおよび探索ページのうち少なくとも１つに露出する広告を登録する広告登録部と、
前記登録された広告をネットワークサービス提供システムに提供する広告提供部と、を備え、
前記ネットワークサービス提供システムは、前記ドアウェイページおよび探索ページのうち少なくとも１つに広告を露出して前記無線ネットワークの接続要求を送信したユーザ端末に提供することを特徴とする広告管理システム。
【請求項１４】
前記広告登録部は、前記アクセスポイントのグループ単位に応じて広告を登録することを特徴とする請求項１３に記載の広告管理システム。
【請求項１５】
前記広告登録部は、前記アクセスポイントの設けられた位置に応じて広告を登録することを特徴とする請求項１３に記載の広告管理システム。
【請求項１６】
前記広告登録部は、前記アクセスポイントの設けられた事業所の事業主と関連する広告を登録することを特徴とする請求項１３に記載の広告管理システム。
【請求項１７】
前記広告提供部は、前記ネットワーク接続要求を受信した時間が事業主の営業時間に属しているか否か、ユーザ端末が事業所の内部に位置しているか否か、またはユーザ端末が複数の事業主の周辺に位置しているか否かを考慮して広告を提供することを特徴とする請求項１６に記載の広告管理システム。
【請求項１８】
前記広告登録部は、前記アクセスポイントの設けられた事業所の周辺に位置する広告主の広告を登録することを特徴とする請求項１３に記載の広告管理システム。
【請求項１９】
前記広告登録部は、前記アクセスポイントの設けられた運送手段の移動経路の周辺に位置する広告主の広告を登録することを特徴とする請求項１３に記載の広告管理システム。
【請求項２０】
前記ドアウェイページおよび探索ページのうち少なくとも１つは、前記ユーザ端末から検索語を受信することのできる検索領域を含み、
前記広告提供部は、前記運送手段の移動経路の周辺の予め設定された関心地点のうち、前記検索語と関連する関心地点に属する広告主の広告を提供することを特徴とする請求項１９に記載の広告管理システム。
【請求項２１】
前記ドアウェイページおよび探索ページのうち少なくとも１つは、前記ユーザ端末から検索語を受信することのできる検索領域を含み、
前記広告提供部は、前記検索語が予め設定された関心地点と関連する場合、前記運送手段から前記関心地点までの移動経路の周辺に位置する広告主の広告を提供することを特徴とする請求項１９に記載の広告管理システム。
【請求項２２】
前記ドアウェイページおよび探索ページのうち少なくとも１つを介して露出された広告に関連する広告情報を収集する情報収集部をさらに備えることを特徴とする請求項１３に記載の広告管理システム。
【請求項２３】
前記情報収集部は、前記アクセスポイントを所有している事業主から事業主の業種情報、アクセスポイントの識別情報、アクセスポイントの地理的な情報、または広告露出のための広告主の範疇の情報のうち少なくとも１つを収集することを特徴とする請求項２２に記載の広告管理システム。
【請求項２４】
前記情報収集部は、前記ドアウェイページおよび探索ページのうち少なくとも１つを介して広告を露出しようとする広告主から広告露出の希望地域、広告露出の希望事業主、広告単価、広告方式のうち少なくとも１つを収集することを特徴とする請求項２２に記載の広告管理システム。
【請求項２５】
前記ドアウェイページおよび探索ページのうち少なくとも１つを介して無線ネットワークサービスの提供されたユーザ端末に露出された広告に関連して広告課金を行う広告課金部をさらに備えることを特徴とする請求項２２に記載の広告管理システム。
【請求項２６】
無線ネットワークのアクセスポイントを介してユーザ端末の無線ネットワークの接続要求を受信することと、
前記ネットワーク接続要求に応じて無線ネットワーク接続と関連するドアウェイページおよび探索ページのうち少なくとも１つに広告を露出して前記ユーザ端末に提供することと、
前記ドアウェイページおよび探索ページのうち少なくとも１つが提供されたユーザ端末の無線ネットワークの接続要求を承認して前記ユーザ端末に無線ネットワークサービスを提供することと、
を含むことを特徴するネットワークサービス提供方法。
【請求項２７】
前記無線ネットワーク接続と関連するドアウェイページおよび探索ページのうち少なくとも１つに広告を露出してユーザ端末に提供することは、前記アクセスポイントのグループ単位に応じて、広告管理システムに登録された広告をドアウェイページおよび探索ページのうち少なくとも１つに露出して前記ユーザ端末に提供することを特徴とする請求項２６に記載のネットワークサービス提供方法。
【請求項２８】
無線ネットワーク接続と関連するドアウェイページおよび探索ページのうち少なくとも１つに広告を露出して前記ユーザ端末に提供することは、前記アクセスポイントの設けられた位置に応じて、広告管理システムに登録された広告をドアウェイページおよび探索ページのうち少なくとも１つに露出して前記ユーザ端末に提供することを特徴とする請求項２６に記載のネットワークサービス提供方法。
【請求項２９】
無線ネットワーク接続と関連するドアウェイページおよび探索ページのうち少なくとも１つに広告を露出して前記ユーザ端末に提供することは、前記アクセスポイントの設けられた事業所の事業主と関連する広告を前記ドアウェイページおよび探索ページのうち少なくとも１つに露出することを特徴とする請求項２６に記載のネットワークサービス提供方法。
【請求項３０】
無線ネットワーク接続と関連するドアウェイページおよび探索ページのうち少なくとも１つに広告を露出して前記ユーザ端末に提供することは、前記ネットワーク接続要求を受信した時間が事業主の営業時間に属しているか否か、前記ユーザ端末が事業所の内部に位置しているか否か、または前記ユーザ端末が複数の事業主の周辺に位置しているか否かを考慮した広告を前記ドアウェイページおよび探索ページのうち少なくとも１つに露出することを特徴とする請求項２９に記載のネットワークサービス提供方法。
【請求項３１】
前記無線ネットワーク接続と関連するドアウェイページおよび探索ページのうち少なくとも１つに広告を露出して前記ユーザ端末に提供することは、前記アクセスポイントの設けられた事業所の周辺に位置する広告主の広告を前記ドアウェイページおよび探索ページのうち少なくとも１つに露出することを特徴とする請求項２６に記載のネットワークサービス提供方法。
【請求項３２】
前記無線ネットワーク接続と関連するドアウェイページおよび探索ページのうち少なくとも１つに広告を露出して前記ユーザ端末に提供することは、前記アクセスポイントの設けられた運送手段の移動経路の周辺に位置する広告主の広告を前記ドアウェイページおよび探索ページのうち少なくとも１つに露出することを特徴とする請求項２６に記載のネットワークサービス提供方法。
【請求項３３】
前記ドアウェイページおよび探索ページのうち少なくとも１つは、前記ユーザ端末から検索語を受信することのできる検索領域を含み、
前記無線ネットワーク接続と関連するドアウェイページおよび探索ページのうち少なくとも１つに広告を露出して前記ユーザ端末に提供することは、前記運送手段の移動経路の周辺の予め設定された関心地点のうち、前記検索語と関連する関心地点に属する広告主の広告を前記ドアウェイページおよび探索ページのうち少なくとも１つに露出することを特徴とする請求項３２に記載のネットワークサービス提供方法。
【請求項３４】
前記ドアウェイページおよび探索ページのうち少なくとも１つは、前記ユーザ端末から検索語を受信することのできる検索領域を含み、
前記無線ネットワーク接続と関連するドアウェイページおよび探索ページのうち少なくとも１つに広告を露出して前記ユーザ端末に提供することは、前記検索語が予め設定された関心地点と関連する場合、前記運送手段から前記関心地点までの移動経路の周辺に位置する広告主の広告を前記ドアウェイページおよび探索ページのうち少なくとも１つに露出することを特徴とする請求項３２に記載のネットワークサービス提供方法。
【請求項３５】
前記無線ネットワーク接続と関連するドアウェイページに広告を露出して前記ユーザ端末に提供することは、前記ユーザ端末が前記ドアウェイページを経由して探索ページを訪問する場合、前記探索ページに前記広告を露出することを特徴とする請求項２６に記載のネットワークサービス提供方法。
【請求項３６】
前記ドアウェイページおよび探索ページのうち少なくとも１つを介してユーザ端末の認証を行うことをさらに含み、
前記ユーザ端末に無線ネットワークサービスを提供することは、前記認証の完了されたユーザ端末に無線ネットワークサービスを提供することを特徴とする請求項２６に記載のネットワークサービス提供方法。
【請求項３７】
前記ユーザ端末の無線ネットワークの接続要求を受信することは、前記ドアウェイページおよび探索ページのうち少なくとも１つへのアクセスのためのプッシュ型通知情報を前記アクセスポイントの周辺に位置するユーザ端末にプッシュすることを特徴とする請求項２６に記載のネットワークサービス提供方法。
【請求項３８】
無線ネットワークのアクセスポイントを介するユーザ端末の無線ネットワーク接続と関連するドアウェイページおよび探索ページのうち少なくとも１つに露出する広告を登録することと、
前記登録された広告をネットワークサービス提供システムに提供することと、を含み、
前記ネットワークサービス提供システムは、前記ドアウェイページおよび探索ページのうち少なくとも１つに広告を露出して前記無線ネットワークの接続要求を送信したユーザ端末に提供することを特徴とする広告管理方法。
【請求項３９】
前記ドアウェイページおよび探索ページのうち少なくとも１つに露出する広告を登録することは、前記アクセスポイントのグループ単位に応じて広告を登録することを特徴とする請求項３８に記載の広告管理方法。
【請求項４０】
前記ドアウェイページおよび探索ページのうち少なくとも１つに露出する広告を登録することは、前記アクセスポイントの設けられた位置に応じて広告を登録することを特徴とする請求項３８に記載の広告管理方法。
【請求項４１】
前記ドアウェイページおよび探索ページのうち少なくとも１つに露出する広告を登録することは、前記アクセスポイントの設けられた事業所の事業主と関連する広告を登録することを特徴とする請求項３８に記載の広告管理方法。
【請求項４２】
前記ネットワークサービス提供システムに広告を提供することは、前記ネットワーク接続要求を受信した時間が事業主の営業時間に属しているか否か、ユーザ端末が事業所の内部に位置しているか否か、またはユーザ端末が複数の事業主の周辺に位置しているか否かを考慮して広告を提供することを特徴とする請求項４１に記載の広告管理方法。
【請求項４３】
前記ドアウェイページおよび探索ページのうち少なくとも１つに露出する広告を登録することは、前記アクセスポイントの設けられた事業所の周辺に位置した広告主の広告を登録することを特徴とする請求項３８に記載の広告管理方法。
【請求項４４】
前記ドアウェイページおよび探索ページのうち少なくとも１つに露出する広告を登録することは、前記アクセスポイントの設けられた運送手段の移動経路の周辺に位置する広告主の広告を登録することを特徴とする請求項３８に記載の広告管理方法。
【請求項４５】
前記ドアウェイページおよび探索ページのうち少なくとも１つは、前記ユーザ端末から検索語を受信することのできる検索領域を含み、
前記ネットワークサービス提供システムに広告を提供することは、前記運送手段の移動経路の周辺の予め設定された関心地点のうち、前記検索語と関連する関心地点に属する広告主の広告を提供することを特徴とする請求項４４に記載の広告管理方法。
【請求項４６】
前記ドアウェイページおよび探索ページのうち少なくとも１つは、前記ユーザ端末から検索語を受信することのできる検索領域を含み、
前記ネットワークサービス提供システムに広告を提供することは、前記検索語が予め設定された関心地点と関連する場合、前記運送手段から前記関心地点までの移動経路の周辺に位置する広告主の広告を提供することを特徴とする請求項４４に記載の広告管理方法。
【請求項４７】
前記ドアウェイページおよび探索ページのうち少なくとも１つを介して露出された広告に関連する広告情報を収集することをさらに含むことを特徴とする請求項３８に記載の広告管理方法。
【請求項４８】
前記ドアウェイページおよび探索ページのうち少なくとも１つを介して露出された広告に関連する広告情報を収集することは、前記アクセスポイントを所有している事業主から事業主の業種情報、アクセスポイントの識別情報、アクセスポイントの地理的な情報、または広告露出のための広告主の範疇の情報のうち少なくとも１つを収集することを特徴とする請求項４７に記載の広告管理方法。
【請求項４９】
前記ドアウェイページおよび探索ページのうち少なくとも１つを介して露出された広告に関連する広告情報を収集することは、前記ドアウェイページおよび探索ページのうち少なくとも１つを介して広告を露出しようとする広告主から広告露出の希望地域、広告露出の希望事業主、広告単価、広告方式のうち少なくとも１つを収集することを特徴とする請求項４７に記載の広告管理方法。
【請求項５０】
前記ドアウェイページおよび探索ページのうち少なくとも１つを介して無線ネットワークサービスの提供されたユーザ端末に露出された広告に関連して広告課金を行うことをさらに含むことを特徴とする請求項３８に記載の広告管理方法。
【請求項５１】
請求項２６乃至請求項５０のいずれか１項の方法を実行するためのプログラムが記録されたコンピュータで読み出し可能な記録媒体。
【発明の詳細な説明】
【技術分野】
【０００１】
本発明は、無線ネットワークに接続するユーザに広告を提供するシステムおよび方法に関する。
【背景技術】
【０００２】
最近、無線ネットワーク（Ｗｉ−Ｆｉ）を使用可能な端末の普及が拡大し、無線ネットワークに接続しようとするユーザも増加している。このような傾向に伴い、無線ネットワークに接続するためのアクセスポイントを設ける事業主も増加している。
【０００３】
ここで、ユーザは、無線ネットワークを活用するためにはアクセスポイントに接続しなければならないが、アクセスポイントにアクセスするためには別途のサービスに加入しなければならない。しかし、サービス加入のためには追加費用が必要となるため、ユーザはアクセスポイントに接続しないようにすることがあり、無線ネットワークサービスの拡散が難しいという問題がある。
【０００４】
そして、アクセスポイントを設けた事業主の立場からは、自身の事業所をより効果的に知らせることのできる方法が求められている。また、アクセスポイントを設けた事業主が公共機関や有名な業者である場合、アクセスポイントの周辺に位置する広告主にも広告を露出させることのできる方法が求められている。
【発明の概要】
【発明が解決しようとする課題】
【０００５】
本発明の目的は、無線ネットワークのアクセスポイントを介してユーザ端末が無線ネットワークの接続要求を行う場合に、広告の露出されたドアウェイページおよび探索ページのうち少なくとも１つをユーザ端末に提供することによって、ユーザ端末に無料で無線ネットワークサービスを提供するシステムおよび方法を提供することにある。
【０００６】
本発明の他の目的は、ユーザ端末に無線ネットワークサービスを提供することに対応して、広告の露出されたドアウェイページおよび探索ページのうち少なくとも１つをユーザ端末に提供することで、アクセスポイントを支援する事業主、アクセスポイントの周辺に位置する広告主、および所定の基準に基づいて識別されるアクセスポイントを介してネットワークに接続するユーザをターゲットにして広告を提供しようとする広告主に対し、ドアウェイページおよび探索ページのうち少なくとも１つを介した広告機会を付与するシステムおよび方法を提供することにある。
【０００７】
本発明の更なる目的は、無線ネットワークのアクセスポイントの位置と関連する様々なサービスをユーザに提供することによって、広告効率を向上させることのできるシステムおよび方法を提供することにある。
【課題を解決するための手段】
【０００８】
本発明の一実施形態に係るネットワークサービス提供システムは、無線ネットワークのアクセスポイントを介してユーザ端末の無線ネットワークの接続要求を受信する接続要求受信部と、前記ネットワーク接続要求に応じて無線ネットワーク接続と関連するドアウェイページおよび探索ページのうち少なくとも１つに広告を露出して前記ユーザ端末に提供するページ提供部と、前記ドアウェイページおよび探索ページのうち少なくとも１つが提供されたユーザ端末の無線ネットワークの接続要求を承認して前記ユーザ端末に無線ネットワークサービスを提供するネットワークサービス提供部と、を備える。
【０００９】
本発明の一実施形態に係る広告管理システムは、無線ネットワークのアクセスポイントを介するユーザ端末の無線ネットワーク接続と関連するドアウェイページおよび探索ページのうち少なくとも１つに露出する広告を登録する広告登録部と、前記登録された広告をネットワークサービス提供システムに提供する広告提供部とを備える。
【００１０】
本発明の一実施形態に係るネットワークサービス提供方法は、無線ネットワークのアクセスポイントを介してユーザ端末の無線ネットワークの接続要求を受信することと、前記ネットワーク接続要求に応じて無線ネットワーク接続と関連するドアウェイページおよび探索ページのうち少なくとも１つに広告を露出して前記ユーザ端末に提供することと、前記ドアウェイページおよび探索ページのうち少なくとも１つが提供されたユーザ端末の無線ネットワークの接続要求を承認して前記ユーザ端末に無線ネットワークサービスを提供することと、を含む。
【００１１】
本発明の一実施形態に係る広告管理方法は、無線ネットワークのアクセスポイントを介するユーザ端末の無線ネットワーク接続と関連するドアウェイページおよび探索ページのうち少なくとも１つに露出する広告を登録することと、前記登録された広告をネットワークサービス提供システムに提供することと、を含み、前記ネットワークサービス提供システムは、前記ドアウェイページおよび探索ページのうち少なくとも１つに広告を露出して前記無線ネットワークの接続要求を送信したユーザ端末に提供してもよい。
【発明の効果】
【００１２】
本発明の一実施形態によると、無線ネットワークのアクセスポイントを介してユーザ端末が無線ネットワークの接続要求を行う場合に、広告が露出されたドアウェイページおよび探索ページのうち少なくとも１つをユーザ端末に提供することによって、ユーザ端末に無線ネットワークサービスを提供することができる。
【００１３】
本発明は、ユーザ端末に無料で無線ネットワークサービスを提供することに対応して、広告が露出されたドアウェイページおよび探索ページのうち少なくとも１つをユーザ端末に提供することで、アクセスポイントを所有している事業主、アクセスポイントの周辺に位置する広告主、および該当のアクセスポイントを用いてインターネットに接続するユーザに関してターゲットにされた広告を提供しようとする広告主に対し、ドアウェイページおよび探索ページのうち少なくとも１つを介した広告機会を付与することができる。
【００１４】
本発明は、無線ネットワークのアクセスポイントの位置と関連する様々なサービスをユーザに提供することによって、広告効率を向上させることができる。
【図面の簡単な説明】
【００１５】
【図１】本発明の一実施形態に係るユーザ端末に広告を露出する過程を説明するための図である。
【図２】本発明の一実施形態に係るネットワークサービス提供システムおよび広告管理システムの構成を示す図である。
【図３】本発明の一実施形態に係るユーザがアクセスポイントを介して無線ネットワークサービスが提供される場合の広告露出の過程を示す図である。
【図４】本発明の一実施形態に係るドアウェイページを示す図である。
【図５】本発明の一実施形態に係るネットワークサービス提供方法を示すフローチャートである。
【図６】本発明の一実施形態に係る広告管理方法を示すフローチャートである。
【発明を実施するための形態】
【００１６】
以下、本発明の実施形態を添付する図面を参照しながら詳細に説明する。
【００１７】
図１は、本発明の一実施形態に係るユーザ端末に広告を露出する過程を説明するための図である。
【００１８】
図１に示すように、ネットワークサービス提供システム１０１、広告管理システム１０２、アクセスポイント１０３、ユーザ端末１０４、および広告主端末１０５が示されている。
【００１９】
まず、本発明の一実施形態において、無線インターネット接続ユーザへの広告提供に関与するシステムおよび端末は次の通りである。
【００２０】
（１）ネットワークサービス提供システム１０１
ネットワークサービス提供システム１０１は、無線ネットワークのアクセスポイント１０３を介してユーザ端末１０４に無線ネットワークサービスを提供するシステムを意味する。ここで、ネットワークサービス提供システム１０１は、無線ネットワークサービスを運用する通信事業者（インターネットサービス提供者、ＩＳＰ）によって運用されてもよい。
【００２１】
（２）アクセスポイント１０３
アクセスポイント１０３は、ユーザ端末１０４が無線ネットワークに接続できるようにするネットワーク装置を意味する。本発明の一実施形態において、アクセスポイント１０３は、いわゆるＷｉ−Ｆｉと呼ばれるＩＥＥＥ８０２．１１ａ、ｂ、ｇの通信技術を支援する装置を意味するが、アクセスポイントが支援する通信技術の種類が限定されることはない。
【００２２】
アクセスポイント１０３は、ネットワークサービス提供システムを運用する通信事業者（ＩＳＰ）によって直接運用されてもよい。アクセスポイント１０３は、そのアクセスポイントの設けられた場所を運用している主体の管理下に属することもある。ここで、通信事業者のサービスに加入してアクセスポイント１０３を管理することのできるものを事業主と呼ぶが、事業主という名称が必ずしも商業的なビジネスの運用主体であることを意味するものではない。
【００２３】
アクセスポイント１０３は、事業主の事業所に設けられてもよく、移動手段に設けられてもよい。
【００２４】
（３）ユーザ端末１０４
ユーザ端末１０４は、アクセスポイント１０３を介して通信事業者のネットワークサービス提供システム１０１が提供している無線ネットワークに接続する端末を意味する。ユーザ端末１０４は、携帯電話、スマートフォン、ノート型パソコンなどの無線ネットワークに接続できる様々な無線端末であってもよい。
【００２５】
（４）広告管理システム１０２
広告管理システム１０２は、アクセスポイント１０３を介してインターネットに接続するユーザに提供される広告を管理するシステムである。広告管理システム１０２は、ネットワークサービス提供システム１０１を運用する通信事業者によって、または別途の広告プラットフォームの事業者によって運用されてもよい。
【００２６】
広告管理システム１０２は、ユーザに提供される広告に対する登録、提供、課金などの処理を行なってもよく、このために広告主端末１０５−１〜１０５〜２およびネットワークサービス提供システム１０１と情報を交換してもよい。
【００２７】
広告管理システム１０２は、広告主端末１０５の要求に応じて広告を管理してもよい。このように登録された広告は、ネットワークサービス提供システム１０１の要求に応じて提供されてもよい。
【００２８】
広告管理システム１０２は、ネットワークサービス提供システム１０１が広告を含むページをユーザ端末に提供できるように必要な情報を提供してもよく、場合に応じて、ユーザ端末１０４に広告を含むページを直接送信してもよい。
【００２９】
（５）広告主端末１０５
広告主端末１０５は、ユーザ端末１０４によって広告をユーザに提供し、広告主がその広告を登録、管理するために用いられる端末である。
【００３０】
広告主端末１０５は広告管理システム１０２に接続し、広告を提供するために必要な情報を入力してもよい。広告のクリエイティブ、予算に関する情報、広告提供条件に関する情報が入力されてもよい。
【００３１】
広告提供条件に関する情報は、ある基準を満足するグループ（例えば、特定位置または特定事業者と関連するアクセスポイントのグループ）に属するアクセスポイントを介してネットワークに接続するユーザに関する広告ターゲットを設定する情報を含んでもよい。
【００３２】
以下、ユーザ端末１０４への広告提供プロセスについて具体的に説明する。
【００３３】
ユーザ端末１０４は、周辺に位置するアクセスポイント１０３を介してネットワークサービス提供システム１０１からの無線ネットワークサービスが提供されてもよい。ユーザ端末１０４は、アクセスポイント１０３を介して無線ネットワークの接続要求をネットワークサービス提供システム１０１に送信してもよい。
【００３４】
ネットワークサービス提供システム１０１は、このような要求に対応してユーザ端末１０４に無線ネットワーク接続のためのドアウェイページ（ｄｏｏｒｗａｙ  ｐａｇｅ）を提供してもよい。このような意味でドアウェイページは、ユーザ端末１０４が無線ネットワークサービスの提供を受けるために経由する開始ページを意味する。
【００３５】
本発明の一実施形態によると、ユーザ端末１０４に提供されるドアウェイページは広告を含んでもよく、その広告の提供には広告管理システム１０２が関与することがある。
【００３６】
また、アクセスポイント１０３がユーザに提供される広告は、インターネット接続の初期ステップで経由するドアウェイページを介してだけではなく、そのユーザがそのアクセスポイント１０３を介してのみならず、インターネットサービスが提供される間にユーザ端末１０４に提供される探索ページの一部領域を占有する広告インベントリを介しても提供されてもよい。このように、無線ネットワークのアクセスポイントを介してユーザ端末が無線セットワークの接続を要求する場合、広告の露出されたドアウェイページおよび探索ページのうち少なくとも１つをユーザ端末に提供することによって、ユーザ端末に無線ネットワークサービスを提供することができる。
【００３７】
ドアウェイページおよび探索ページのうち少なくとも１つに露出される広告は次のように様々な広告主に関する広告を含んでもよい。
【００３８】
イ．アクセスポイントと関連する事業主の広告
本発明の一実施形態によると、ドアウェイページおよび探索ページのうち少なくとも１つに露出される広告は、アクセスポイント１０３を管理する事業主の広告であってもよい。例えば、映画館、レストランなどの事業所に設けられたアクセスポイント１０３を用いてインターネットに接続したユーザにはその事業所の事業主に関する広告が提供されてもよい。
【００３９】
一方、別途の位置確認情報が利用可能な場合（例えば、ＧＰＳなどの別途の位置情報、出入り確認システムなどの情報）、同一のアクセスポイントを介してアクセスするユーザにも差別化した広告を提供してもよい。例えば、映画の上映場所の内部および外部のユーザに対して差別化した広告を提供してもよい。
【００４０】
また、事業主が提供するサービスを用いた顧客と、そうではない顧客とを区別することのできる情報が利用可能な場合（購入情報との連動が可能な場合）、それに伴う広告の差別化も可能である。
【００４１】
ロ．ネットワーク接続費用を支援するスポンサーの広告
本発明の一実施形態によると、広告主は、ユーザがインターネットアクセスの費用を支援する条件として、該当のアクセスポイントを介してインターネットに接続するユーザに自身の広告を露出してもよい。
【００４２】
該当のアクセスポイントが設けられた場所と関連する（または、アクセスポイントの移動経路と関連する）事業主は、該当のアクセスポイント利用者をターゲットにすることによって効率的に広告を実行することができる。
【００４３】
ハ．その他の広告主
アクセスポイントのユーザに対する広告の広告主が前述した２つの類型の広告主に制限されることはない。
【００４４】
図２は、本発明の一実施形態に係るネットワークサービス提供システムおよび広告管理システムの構成を示す図である。
【００４５】
まず、ネットワークサービス提供システム１０１の動作を説明する。図２に示すように、ネットワークサービス提供システム１０１は、接続要求受信部２０１、ページ提供部２０２、端末認証部２０３、およびネットワークサービス提供部２０４を備えてもよい。
【００４６】
接続要求受信部２０１は、無線ネットワークのアクセスポイントを介してユーザ端末の無線ネットワークの接続要求を受信してもよい。本発明の一実施形態によると、アクセスポイントは、事業主の事業所または移動手段に設けられてもよい。
【００４７】
もし、アクセスポイントが事業主の事業所に設けられた場合、接続要求受信部２０１は、事業主の事業所の内部に位置するユーザ端末から無線ネットワーク接続を承認してもよい。そして、アクセスポイントが移動手段（自動車、電車、地下鉄など）に設けられた場合、移動手段の内部に位置するユーザ端末から無線ネットワークの接続要求を承認してもよい。
【００４８】
一方、アクセスポイント１０３を介してインターネットが接続可能であることを知らせるメッセージがアクセスポイントの周辺に位置するユーザ端末に送信されてもよい。すなわち、アクセスポイントの設けられた事業主の事業所の内部や周辺に位置するユーザ端末へ、該当のアクセスポイント１０３に接続を誘導するプッシュ型通知情報（ｐｕｓｈ  ｎｏｔｉｆｉｃａｔｉｏｎ）を提供してもよい。同一の方式で、アクセスポイントの設けられた移動手段の内部に位置するユーザ端末にプッシュ型通知情報を提供してもよい。
【００４９】
例えば、アクセスポイントと通信可能な携帯電話が確認された場合、該当のユーザ端末に無料で利用可能なアクセスポイントがあるという文字メッセージを送信してもよい。
【００５０】
ページ提供部２０２は、ユーザ端末のネットワーク接続要求に応じて無線ネットワーク接続と関連するドアウェイページをユーザ端末に提供してもよい。ここで、広告はドアウェイページの一部領域に露出されてもよい。また、ページ提供部２０２は、ユーザ端末がアクセスポイント１０３を介してインターネットサービスの提供を受ける間に探索ページを提供してもよい。ここで、広告は、探索ページの一部領域に露出されてもよい。
【００５１】
一例として、ページ提供部２０２は、ある事業所に対応するアクセスポイントグループに関連して登録された広告を含むドアウェイページおよび探索ページのうち少なくとも１つをユーザ端末に提供してもよい。このために広告管理システム１０２は、アクセスポイントに関する情報を管理してもよく、広告はアクセスポイントグループ単位で広告を登録してもよい。より具体的には、事業主の事業所にアクセスポイントＡＰ１、ＡＰ２、ＡＰ３が設けられた場合、広告管理システム１０２は、ＡＰ１、ＡＰ２およびＡＰ３がグループとして設定されたグループ１に対して広告を登録してもよい。または、移動手段が地下鉄であり、地下鉄の車両ごとに他のアクセスポイントが設けられた場合、広告管理システム１０２は、地下鉄の車両それぞれに設けられたアクセスポイントがグループに設定されたグループ２の広告を登録してもよい。
【００５２】
他の例として、アクセスポイントの設けられた位置に応じて、広告管理システム１０２に登録された広告がドアウェイページおよび探索ページのうち少なくとも１つを介してユーザ端末に提供してもよい。
【００５３】
例えば、広告管理システム１０２は、アクセスポイントの設けられた区単位（例えば、江南区）または洞単位（例えば、狎鴎亭洞）に広告を登録、管理してもよい。すなわち、特定の区／特定の洞に属するアクセスポイントを介してユーザ端末の無線ネットワークの接続要求が受信されると、該当する区／洞に登録された広告を含むドアウェイページおよび探索ページのうち少なくとも１つがユーザ端末に提供されてもよい。
【００５４】
そして、広告管理システム１０２は、アクセスポイントの設けられた関心地点（ＰＯＩ）の単位に広告を登録、管理してもよい。例えば、ＸＸ地域ＹＹ映画館に位置するユーザ端末やＹＹ映画館の周辺に位置するユーザ端末から無線ネットワークの接続要求が受信されると、ＹＹ映画館に登録された広告がドアウェイページおよび探索ページのうち少なくとも１つに露出されるようにユーザ端末に提供されてもよい。ここで、関心地点は、アクセスポイントを所有している事業主の事業所であってもよい。これによって、登録された広告は事業主の広告や、事業主の事業所の周辺に位置する広告主の広告であってもよい。
【００５５】
また、広告管理システム１０２は、アクセスポイントの設けられた移動手段（バス、タクシー、地下鉄、電車、飛行機など）の単位で広告を登録してもよい。例えば、地下鉄２号線を運行する地下鉄の内部に位置するユーザ端末から無線ネットワークの接続要求が受信されると、地下鉄２号線に登録された広告がドアウェイページおよび探索ページのうち少なくとも１つに露出されてユーザ端末に提供されてもよい。ここで、登録された広告は、移動手段の移動経路と関連する地点に位置する広告主の広告であってもよい。
【００５６】
また、アクセスポイントの設けられた事業所の事業主と関連する広告がドアウェイページおよび探索ページのうち少なくとも１つに露出されてもよい。そして、アクセスポイントの設けられた事業所に一回以上訪問したユーザのユーザ端末に、事業所の訪問と関連するマイレージ情報をドアウェイページおよび探索ページのうち少なくとも１つを介して共に提供してもよい。ここで、マイレージ情報は、訪問頻度に応じる割引情報または訪問頻度に応じる事業所の無料サービスを含んでもよい。
【００５７】
ここで、ネットワーク接続要求を受信した時間が事業主の営業時間に属しているか否か、ユーザ端末が事業所の内部に位置しているか否か、またはユーザ端末が複数の事業主の周辺に位置しているか否かを考慮して広告がドアウェイページおよび探索ページのうち少なくとも１つに露出されてもよい。
【００５８】
具体的に、ネットワーク接続要求を受信した時間が事業主の営業時間に属し、ユーザ端末の位置が事業所の内部である場合、事業主の事業所の利用案内のための広告、または事業所の再訪問のための広告が露出されてもよい。そして、ネットワーク接続要求を受信した時間が事業主の営業時間に属し、ユーザ端末の位置が事業所の外部である場合、事業所の訪問を誘導する広告が露出されてもよい。事業所の訪問を誘導する広告は、割引情報、プロモーションイベント情報、またはクーポン情報を含んでもよい。ネットワーク接続要求を受信した時間が事業主の営業時間に属することなく、ユーザ端末の位置が事業所の外部である場合、事業主の事業所に対する営業時間案内、事業所の訪問を誘導する広告が露出されてもよい。また、ユーザ端末の位置周辺に複数の事業主が存在する場合には、複数の事業主の広告がドアウェイページおよび探索ページのうち少なくとも１つへ同時に露出されたり、交互に露出されてもよい。
【００５９】
アクセスポイントの設けられた事業所の周辺に位置する広告主の広告はドアウェイページおよび探索ページのうち少なくとも１つに露出されてもよい。ここで、広告主の広告は、ドアウェイページおよび探索ページのうち少なくとも１つに露出の権限が割り当てられた少なくとも１つの広告であってもよい。露出権限は、登録順に決定されたり事業主の事業所に対する広告入札に応じて決定してもよい。
【００６０】
また、アクセスポイントの設けられた運送手段の移動経路の周辺に位置する広告主の広告はドアウェイページおよび探索ページのうち少なくとも１つに露出されてもよい。ここで、ドアウェイページおよび探索ページのうち少なくとも１つは、ユーザ端末から検索語を受信することのできる検索領域を含んでもよい。
【００６１】
一例として、ユーザ端末から検索語が受信されると、運送手段の移動経路の周辺の予め設定された関心地点のうち、検索語と関連する関心地点に属する広告主の広告がドアウェイページおよび探索ページのうち少なくとも１つに露出されてもよい。ここで、運送手段の移動経路とは、バス路線、地下鉄路線、電車の線路などがある。
【００６２】
他の一例として、ユーザ端末から予め設定された関心地点と関連する検索語が受信されると、運送手段から関心地点までの移動経路の周辺に位置する広告主の広告がドアウェイページおよび探索ページのうち少なくとも１つに露出されてもよい。ここで、運送手段から関心地点までの移動経路は、ユーザが運送手段に乗車した地点または下車した地点のうちいずれか１つであり、関心地点までの移動経路を意味する。
【００６３】
更なる他の一例として、ユーザ端末から移動経路上の乗降車駅が選択されると、乗降車駅の地域情報と関連する広告主の広告がドアウェイページおよび探索ページのうち少なくとも１つに露出されてもよい。例えば、地下鉄２号線で運行されている地下鉄に搭乗したユーザのユーザ端末から該当の地下鉄に設けられた無線ネットワークのアクセスポイントを介して無線ネットワークの接続要求を受信した場合、ページ提供部２０２は、地下鉄２号線の路線図をドアウェイページおよび探索ページのうち少なくとも１つに表示されてもよい。そして、ユーザ端末から地下鉄２号線の路線図において、ＺＺ駅が選択されると、ＺＺ駅の周辺に位置する広告主の広告がドアウェイページおよび探索ページのうち少なくとも１つに露出されてもよい。これとともに、ＺＺ駅の出口情報、乗り換え交通情報、周辺主要施設などの情報を含むドアウェイページおよび探索ページのうち少なくとも１つを提供してもよい。
【００６４】
本発明の一実施形態によると、ユーザ端末がドアウェイページを経由して探索ページを訪問する場合、探索ページに広告が露出されてもよい。すなわち、アクセスポイントを介して無線ネットワークサービスが提供される間には、ユーザ端末に表示される探索ページに広告が露出されてもよい。ここで、広告は、探索ページの一部領域に表示されたり、予め設定された周期の間に繰り返し探索ページに広告が露出されてもよい。
【００６５】
また、本発明の一実施形態によると、ユーザ端末がドアウェイページを経由したかに関わらず、アクセスポイントを介して無線ネットワークサービスの提供を受ける間にユーザ端末に表示される探索ページに広告が露出されてもよい。すなわち、ドアウェイページがなくても探索ページのうち一部領域に広告を受信しているユーザ端末には無線ネットワークサービスを無料で提供することができる。
【００６６】
一方、ページ提供部２０２は、ネットワークサービス提供システムの一部として説明したが、場合に応じて広告管理システム１０２の一部として構成されてもよい。この場合、ネットワーク提供システム１０１および広告管理システム１０２の構成の変更に応じて変更されてもよい。
【００６７】
前述した広告の提供は、ページ提供部２０２がドアウェイページおよび探索ページのうち少なくとも１つを提供する過程において、広告管理システム１０２にユーザ端末およびアクセスポイントと関連する情報を広告提供パラメータに提供し、広告管理システムはその情報を活用して適切な広告を提供することによって実現することができる。
【００６８】
広告の提供と関連して広告のターゲット基準として用いられる情報が必ず無線アクセスポイントのグループ情報である必要はなく、いずれかのキーワードに対して販売された広告が所定のマッチング過程によって選択されてもよい。
【００６９】
端末認証部２０３は、ドアウェイページおよび探索ページのうち少なくとも１つを介してユーザ端末の認証を行なってもよい。ユーザ端末の認証に対しては図４を参照して説明する。
【００７０】
ネットワークサービス提供部２０４は、ドアウェイページおよび探索ページのうち少なくとも１つが提供されたユーザ端末の無線ネットワークの接続要求を承認してユーザ端末に無線ネットワークサービスを提供してもよい。ここで、ネットワークサービス提供部２０４は、認証の完了されたユーザ端末に対して無線ネットワークサービスを提供してもよい。
【００７１】
以下は、広告管理システム１０２の動作を説明する。図２に示すように、広告管理システム１０２は、広告登録部２０５、広告提供部２０６、情報収集部２０７、および広告課金部２０８を備えてもよい。
【００７２】
広告登録部２０５は、無線ネットワークのアクセスポイントを介するユーザ端末の無線ネットワーク接続と関連するドアウェイページおよび探索ページのうち少なくとも１つに露出される広告を登録してもよい。
【００７３】
一例として、広告登録部２０５は、アクセスポイントの設けられた事業所の周辺に位置する広告主の広告を登録してもよい。ここで、広告登録部２０５は、アクセスポイントのグループ単位に応じて広告を登録してもよい。そして、広告登録部２０５は、アクセスポイントの設けられた位置に応じて広告を登録してもよい。これは、広告主の広告を入札するための単位が、アクセスポイントのグループ単位であるか、またはアクセスポイントの設けられた位置であることを意味する。アクセスポイントの設けられた位置は、予め設定された関心地点のうち１つであってもよい。
【００７４】
他の一例として、広告登録部２０５は、アクセスポイントの設けられた事業所の事業主と関連する広告を登録してもよい。
【００７５】
更なる一例として、広告登録部２０５は、アクセスポイントの設けられた運送手段の移動経路の周辺に位置する広告主の広告を登録してもよい。
【００７６】
広告登録部２０５は、アクセスポイントの設けられた事業所の事業主と関連する広告を登録してもよい。
【００７７】
一方、広告管理システム１０２がアクセスポイント単位の広告ターゲットのみを提供することはなく、キーワード単位への広告販売も可能である。キーワード広告である場合、広告対象キーワードと無線アクセスポイント、またはユーザ端末をマッチングする過程が追加的に求められる。
【００７８】
広告提供部２０６は、登録された広告をネットワークサービス提供システム１０１に提供してもよい。これによって、ネットワークサービス提供システム１０１は、ドアウェイページおよび探索ページのうち少なくとも１つに広告を露出して無線ネットワークの接続要求を送信したユーザ端末に提供してもよい。
【００７９】
登録された広告は、アクセスポイントの設けられた事業所の事業主と関連する広告であってもよい。そして、登録された広告は、アクセスポイントの設けられた事業所の周辺に位置する広告主の広告であってもよい。また、登録された広告は、アクセスポイントの設けられた移動手段の移動経路の周辺に位置する広告主の広告であってもよい。
【００８０】
一例として、アクセスポイントの設けられた事業所の事業主と関連する広告が登録された場合、広告提供部２０６は、ネットワーク接続要求を受信した時間が事業主の営業時間に属しているか否か、ユーザ端末が事業所内に位置しているか否か、またはユーザ端末が複数の事業主の周辺に位置しているか否かを考慮して広告を提供してもよい。
【００８１】
ドアウェイページおよび探索ページのうち少なくとも１つは、ユーザ端末から検索語を受信することのできる検索領域を含んでもよい。これによって、広告提供部２０６は、運送手段の移動経路の周辺の予め設定された関心地点のうち、検索語と関連する関心地点に属する広告主の広告を提供してもよい。また、広告提供部２０６は、検索語が予め設定された関心地点と関連する場合、運送手段から関心地点までの移動経路の周辺に位置する広告主の広告を提供してもよい。
【００８２】
情報収集部２０７は、ドアウェイページおよび探索ページのうち少なくとも１つを介して露出された広告に関連する広告情報を収集してもよい。ここで、収集された広告情報は、広告を登録するための入札情報として活用したり、または広告課金のための課金情報として活用してもよい。
【００８３】
一例として、情報収集部２０７は、アクセスポイントを所有している事業主から事業主の業種情報、アクセスポイントの識別情報、アクセスポイントの地理的な情報、または広告露出のための広告主の範疇の情報のうち少なくとも１つを収集してもよい。ここで、アクセスポイントの識別情報は、アクセスポイントのＳＳＩＤ、暗証番号、またはＭＡＣアドレスを含んでもよい。広告主の範疇とは、ドアウェイページおよび探索ページのうち少なくとも１つに露出される広告と関連する広告主の種類を意味する。事業主は、広告主の範疇を設定することによってドアウェイページおよび探索ページのうち少なくとも１つに露出される広告と関連する広告主を制限してもよい。アクセスポイントの位置情報はアクセスポイントの地理的な座標であって、アクセスポイントの設けられたアドレス、ＧＰＳ情報、または緯度／経度を含んでもよい。
【００８４】
他の一例として、情報収集部２０７は、ドアウェイページおよび探索ページのうち少なくとも１つを介して広告を露出しようとする広告主から広告露出の希望地域、広告露出の希望事業主、広告単価、広告方式のうち少なくとも１つを収集してもよい。ここで、広告露出の希望地域は、広告主の広告が露出されるためのアクセスポイントの設置地域を意味する。広告露出の希望地域は、区単位／洞単位／関心地点単位のうちのいずれか１つであってもよい。広告露出の希望事業主は、広告主の広告が露出される事業所の事業主を意味する。広告単価は、入札方式に応じて広告が登録される場合、広告露出による広告費用を意味する。広告方式は、イメージ／テキスト／動画方式のいずれかであることを意味する。
【００８５】
広告課金部２０８は、ドアウェイページおよび探索ページのうち少なくとも１つを介して無線ネットワークサービスの提供されたユーザ端末に露出された広告に関連して広告課金を行なってもよい。一例として、広告課金部２０８は、契約期間により定額で課金してもよい。そして、広告課金部２０８は、ＣＰＭ方式によって課金を行ったり、無線ネットワークサービスの提供を受けるユーザの数、広告露出の後ユーザのアクションなどに応じて課金してもよい。
【００８６】
本発明の一実施形態によると、ドアウェイページおよび探索ページのうち少なくとも１つは、広告を露出すること以外にアクセスポイントと関連する様々なサービスが露出されてもよい。
【００８７】
（イ）ドアウェイページおよび探索ページのうち少なくとも１つは、ユーザ端末の無線ネットワーク接続と同時に広告管理システム１０２が運用しているオンラインサービスにチェックインされたという情報を露出してもよい。露出されるチェックイン情報はユーザの選択に応じて変更されてもよい。
【００８８】
（ロ）ドアウェイページおよび探索ページのうち少なくとも１つに露出される広告の内容は、広告管理システム１０２がオンラインサービスに露出される広告内容と連動されてもよい。
【００８９】
（ハ）アクセスポイントの設けられた事業主の事業所にユーザが訪問し、そのあと他の事業主の事業所に訪問するパターンを収集して、他の事業主の事業所に対する推薦案内サービスがドアウェイページおよび探索ページのうち少なくとも１つに露出されてもよい。
【００９０】
（ニ）アクセスポイントの地理的な位置が表示された地図をドアウェイページおよび探索ページのうち少なくとも１つに露出してもよい。
【００９１】
（ホ）アクセスポイントの接続統計、アクセスポイントの設けられた事業所の評価情報、代表サービスおよび商品などがドアウェイページおよび探索ページのうち少なくとも１つに露出されてもよい。
【００９２】
（ヘ）アクセスポイントを介して無線ネットワークに接続したユーザの作成した文書が事業主の事業所情報とマッチングして露出されてもよい。
【００９３】
（ト）アクセスポイントを介して無線ネットワークに接続したユーザの検索履歴を収集して推薦キーワードサービスが露出されてもよい。
【００９４】
（チ）アクセスポイントを介して無線ネットワークに接続した履歴を収集し、事業所訪問ヒストリーまたは移動手段の搭乗履歴などが露出されてもよい。
【００９５】
図３は、本発明の一実施形態に係るユーザがアクセスポイントを介して無線ネットワークサービスが提供される場合に広告露出の過程を示す図である。
【００９６】
ユーザ端末３０２−１は、アクセスポイント３０１が設けられた事業主の事業所の内部または移動手段の内部に位置する。そして、ユーザ端末３０２−２は、アクセスポイント３０１が設けられた事業主の事業所の外部に位置する。図３で示す円は、事業主の事業所領域または移動手段領域を意味する。
【００９７】
アクセスポイント３０１に事業所の内部または移動手段の内部に位置するユーザ端末３０２−１からネットワーク接続要求が送信されると、ネットワークサービス提供システム１０１は、無線ネットワークサービスのためのドアウェイページおよび探索ページのうち少なくとも１つをユーザ端末３０２−１に提供してもよい。ここで、ドアウェイページおよび探索ページのうち少なくとも１つは、事業主の広告、事業主の事業所の周辺に位置する広告主３０３の広告、または移動手段の移動経路の周辺に位置する広告主３０３の広告を露出してもよい。
【００９８】
そして、事業所の外部に位置するユーザ端末３０２−２が事業所から予め設定した半径内にあれば、アクセスポイント３０１を介して無線ネットワークサービスが提供されてもよい。これによって、ネットワークサービス提供システム１０１は、無線ネットワークサービスのためのドアウェイページおよび探索ページのうち少なくとも１つをユーザ端末３０２−２に提供してもよい。ここで、ドアウェイページおよび探索ページのうち少なくとも１つは事業主の広告または事業主の事業所の周辺に位置する広告主３０３の広告を露出してもよい。
【００９９】
事業主の広告が露出される場合、無線ネットワークの接続要求を受信した時間が事業主の営業時間に属しているかに応じて異なるように広告を露出してもよい。そして、事業主の広告が露出される場合に、無線ネットワークの接続要求を送信したユーザ端末３０２−１の位置が事業主の事業所の内部に位置するか、またはユーザ端末３０２−１が複数の事業主の周辺に位置しているかに応じて異なるように広告を露出してもよい。一例として、事業主の営業時間内で事業所の内部に位置するユーザ端末３０２−１は、ユーザの事業所を用いるための情報とユーザの再訪問を誘導するための情報とを、ドアウェイページおよび探索ページのうち少なくとも１つを介して提供されてもよい。そして、事業主の営業時間内で事業所の外部に位置するユーザ端末３０２−２は、事業主の事業所訪問を誘導する広告をドアウェイページおよび探索ページのうち少なくとも１つを介して提供されてもよい。事業主の営業時間の他に事業所の外部に位置するユーザ端末３０２−２は、事業主の営業時間案内情報と営業時間との間に事業所の訪問を誘導する広告をドアウェイページおよび探索ページのうち少なくとも１つを介して提供されてもよい。また、ユーザ端末が複数の事業主の周辺に位置している場合には、複数の事業主の広告を同時あるいは交互にドアウェイページおよび探索ページのうち少なくとも１つを介して提供されてもよい。
【０１００】
ユーザ端末３０２−１、３０２−２は、ドアウェイページおよび探索ページのうち少なくとも１つを介して広告を視聴し、それに対する代価として、アクセスポイント３０１を介してネットワークサービス提供システム１０１が提供する無線ネットワークサービスが提供されてもよい。ここで、広告はドアウェイページに根本的に露出されるか、ユーザ端末３０２−１、３０２−２を介してドアウェイページから探索ページに移動して探索ページに広告が露出されてもよい。一例として、広告は探索ページの一部領域に固定的に露出されたり、または一定時間ごとに探索ページに強制的に露出されてもよい。また、ドアウェイページを経由したかに関わらず、探索ページの一部領域に広告を提供し、これによって無線ネットワークサービスを無料で提供することも可能である。
【０１０１】
以下、ドアウェイページの構成例を具体的に説明する。
【０１０２】
図４は、本発明の一実施形態に係るドアウェイページを示す図である。
【０１０３】
図４に示すように、ドアウェイページ４０１は、広告露出領域４０２、ログイン領域４０３、広告情報表示領域４０４、認証領域４０５、および、評価領域４０６を備えてもよい。
【０１０４】
一例として、広告情報表示領域４０４は、事業主の事業所と関連する広告情報を表示してもよい。一例として、広告情報は事業主の挨拶の言葉、事業所の広報映像、事業所の詳細情報、事業所のイベント情報、事業所の顧客カード生成情報、ユーザの質問情報などを含んでもよい。
【０１０５】
他の一例として、広告露出領域４０２は、事業主の事業所に訪問したユーザのユーザ端末に事業所の周辺に位置する広告主の広告を露出してもよい。更なる一例として、広告露出領域４０２は、移動手段の移動経路の周辺に位置する広告主の広告を露出してもよい。すなわち、事業主は、ユーザにアクセスポイントを介して無線ネットワークサービスを提供し得る機会を付与する一方、広告主は、ユーザへの無線ネットワークサービスの提供に応じてドアウェイページ４０１への広告露出の機会を得ることができる。これによって、広告情報表示領域４０４は広告主と関連する広告情報を表示してもよい。
【０１０６】
ログイン領域４０３は、ユーザ端末から広告管理システム１０２と関連するサービスに接続できるログイン情報を受信してもよい。このような過程によって広告管理システム１０２は、ドアウェイページを介して広告が露出されるユーザの情報を収集してもよい。
【０１０７】
認証領域４０５は、ユーザ端末に無線ネットワークサービスの提供ができるようにユーザ端末の認証情報が入力されてもよい。
【０１０８】
一例として、ユーザ端末の認証過程は下記のように行われもよい。
【０１０９】
（１）ＰＩＮコードを介する認証方式
ユーザ端末からドアウェイページの認証領域にＰＩＮコードが入力されると、ユーザ端末の認証が行われてもよい。ここで、事業主は一定期間ごとにＰＩＮコードを変更してもよい。これによって、事業主の事業所を過去に一度訪問したユーザが事業所を直接訪問することがなく事業所の周辺で変更されたＰＩＮコードを入力することができない場合には、無線ネットワークサービスの提供を受けることができないこととなる。
【０１１０】
ＰＩＮコードは、次のような方法によってユーザに露出されてもよい。事業主の事業所を訪問したり移動手段に搭乗したユーザに、ポスター、メニューブック、広報パンフレットなど、オフライン上の印刷物や事業所／移動手段内のディスプレイ装置を用いてＰＩＮコードを露出してもよい。または、事業主の事業所から提供する無料サービス、運勢情報などにＰＩＮコードを露出してもよい。また、ユーザ端末が事業主の事業所に表示されたＱＲコードやバーコードが認識できる場合、ユーザ端末がＱＲコードやバーコードをスキャンすることによってＰＩＮコードを露出してもよい。ここで、ＱＲコードは、白黒格子のパターンで情報を表すマトリックス状の２次元バーコードを意味する。
【０１１１】
（２）ＭＡＣアドレスを介する認証方式
ユーザ端末のＭＡＣアドレスおよびユーザの識別情報を用いてアクセスポイントの所有者である事業主がユーザ端末を認証する方式である。ここで、一回承認されたＭＡＣアドレスを有するユーザ端末は事業主の同意にしたがって後で自動承認してもよい。
【０１１２】
（３）ＰＢＣを介する認証方式
アクセスポイントを所有している事業主およびユーザ端末を所有しているユーザによってバーチャル（ｖｉｒｔｕａｌ）またはアクチャル（ａｃｔｕａｌ）ボタンが同時に押さえられると、ユーザ端末の認証が行われる方式を意味する。
【０１１３】
一方、図４には、ドアウェイページを例示して説明したが、探索ページの一部領域も図４に示すように構成してもよい。
【０１１４】
図５は、本発明の一実施形態に係るネットワークサービス提供方法を示すフローチャートである。
【０１１５】
ステップＳ５０１において、ネットワークサービス提供システム１０１は、無線ネットワークのアクセスポイントを介してユーザ端末の無線ネットワークの接続要求を受信してもよい。ここで、ネットワークサービス提供システム１０１は、ドアウェイページへのアクセスのためのプッシュ型通知情報をアクセスポイントの周辺に位置するユーザ端末にプッシュしてもよい。
【０１１６】
ステップＳ５０２において、ネットワークサービス提供システム１０１は、ネットワーク接続要求に対応して無線ネットワーク接続と関連するドアウェイページに広告を露出してユーザ端末に提供してもよい。
【０１１７】
一例として、ネットワークサービス提供システム１０１は、アクセスポイントの設けられた事業所の事業主と関連する広告をドアウェイページに露出してもよい。ここで、ネットワークサービス提供システム１０１は、ネットワーク接続要求を受信した時間が事業主の営業時間に属しているか否か、ユーザ端末が事業所の内部に位置しているか否か、またはユーザ端末が複数の事業主の周辺に位置しているか否かを考慮して広告をドアウェイページに露出してもよい。
【０１１８】
他の一例として、ネットワークサービス提供システム１０１は、アクセスポイントの設けられた事業所の周辺に位置する広告主の広告をドアウェイページに露出してもよい。ここで、ネットワークサービス提供システム１０１は、アクセスポイントのグループ単位に応じて、広告管理システムに登録された広告をドアウェイページに露出してユーザ端末に提供してもよい。そして、ネットワークサービス提供システム１０１は、アクセスポイントの設けられた位置に応じて広告管理システムに登録された広告をドアウェイページに露出してユーザ端末に提供してもよい。
【０１１９】
更なる一例として、ネットワークサービス提供システム１０１は、アクセスポイントの設けられた運送手段の移動経路の周辺に位置する広告主の広告をドアウェイページに露出してもよい。
【０１２０】
ここで、ドアウェイページは、ユーザ端末から検索語を受信することのできる検索領域を含んでもよい。これによって、ネットワークサービス提供システム１０１は、運送手段の移動経路の周辺の予め設定された関心地点のうち、検索語と関連する関心地点に属する広告主の広告をドアウェイページに露出してもよい。また、ネットワークサービス提供システム１０１は、検索語が予め設定された関心地点と関連する場合、運送手段から関心地点までの移動経路の周辺に位置する広告主の広告を、ドアウェイページに露出してもよい。
【０１２１】
ネットワークサービス提供システム１０１は、ユーザ端末がドアウェイページを経由して探索ページを訪問する場合、探索ページに広告を露出してもよい。
【０１２２】
ステップＳ５０３において、ネットワークサービス提供システム１０１は、ドアウェイページを介してユーザ端末の認証を行なってもよい。
【０１２３】
ステップＳ５０４において、ネットワークサービス提供システム１０１は、ドアウェイページが提供されたユーザ端末の無線ネットワークの接続要求を承認してユーザ端末に無線ネットワークサービスを提供してもよい。
【０１２４】
図６は、本発明の一実施形態に係る広告管理方法を示すフローチャートである。
【０１２５】
ステップＳ６０１において、広告管理システム１０２は、無線ネットワークのアクセスポイントを介するユーザ端末の無線ネットワーク接続と関連するドアウェイページに露出される広告を登録してもよい。
【０１２６】
一例として、広告管理システム１０２は、アクセスポイントの設けられた事業所の周辺に位置する広告主の広告を登録してもよい。ここで、広告管理システム１０２は、アクセスポイントのグループ単位に応じて広告を登録してもよい。そして、広告管理システム１０２は、アクセスポイントの設けられた位置に応じて広告を登録してもよい。
【０１２７】
他の一例として、広告管理システム１０２は、アクセスポイントの設けられた事業所の事業主と関連する広告を登録してもよい。
【０１２８】
更なる一例として、広告管理システム１０２は、アクセスポイントの設けられた運送手段の移動経路の周辺に位置する広告主の広告を登録してもよい。
【０１２９】
ステップＳ６０２において、広告管理システム１０２は、登録された広告をネットワークサービス提供システム１０１に提供してもよい。ここで、ネットワークサービス提供システム１０１は、ドアウェイページに広告を露出して無線ネットワークの接続要求を送信したユーザ端末に提供してもよい。
【０１３０】
もし、アクセスポイントの設けられた事業所の事業主と関連する広告が登録された場合、広告管理システム１０２は、ネットワーク接続要求を受信した時間が事業主の営業時間に属しているか否か、ユーザ端末が事業所の内部に位置しているか否か、またはユーザ端末が複数の事業主の周辺に位置しているか否かを考慮して広告を提供してもよい。
【０１３１】
もし、アクセスポイントの設けられた運送手段の移動経路の周辺に位置する広告主の広告が登録された場合、広告管理システム１０２は、運送手段の移動経路の周辺の予め設定された関心地点のうち、検索語と関連する関心地点に属する広告主の広告を提供してもよい。また、広告管理システム１０２は、検索語が予め設定された関心地点と関連する場合、運送手段から関心地点までの移動経路の周辺に位置する広告主の広告を提供してもよい。
【０１３２】
ステップＳ６０３において、広告管理システム１０２は、ドアウェイページを介して露出された広告に関連する広告情報を収集してもよい。
【０１３３】
一例として、広告管理システム１０２は、アクセスポイントを所有している事業主から事業主の業種情報、アクセスポイントの識別情報、アクセスポイントの地理的な情報、または広告露出のための広告主の範疇の情報のうち少なくとも１つを収集してもよい。他の一例として、広告管理システム１０２は、ドアウェイページを介して広告を露出しようとする広告主から広告露出の希望地域、広告露出の希望事業主、広告単価、広告方式のうち少なくとも１つを収集してもよい。
【０１３４】
ステップＳ６０４において、広告管理システム１０２は、ドアウェイページを介して無線ネットワークサービスの提供されたユーザ端末に露出された広告に関連して広告課金を行なってもよい。
【０１３５】
以上では、図５および図６を参照して、ドアウェイページを介して広告を露出し、これによって無線ネットワークサービスを無料で提供する場合について説明したが、探索ページを介して広告を露出し、それにより無線ネットワークサービスを無料で提供することも可能である。
【０１３６】
本発明の実施形態に係る方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などの単独または組み合わせたものを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【０１３７】
ネットワークサービス提供システム１０１の各部分２０１〜２０４と広告管理システム１０２の各部分２０５〜２０８は、必要に応じて互いに異なるシステムの一部に編入されてもよい。
【０１３８】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【０１３９】
したがって、本発明の範囲は、開示された実施形態に限定されて定められるものではなく、特許請求の範囲だけではなく特許請求の範囲と均等なものなどによって定められるものである。
【符号の説明】
【０１４０】
１０１      ネットワークサービス提供システム
１０２      広告管理システム
１０３      アクセスポイント
１０４      ユーザ端末
１０５      広告主端末
【図１】
2011258203.tif 000003
【図２】
2011258203.tif 000004
【図３】
2011258203.tif 000005
【図４】
2011258203.tif 000006
【図５】
2011258203.tif 000007
【図６】
2011258203.tif 000008